(57)【特許請求の範囲】
【請求項１】
ビデオコンテンツを供給する少なくとも一台のビデオサーバと、
前記ビデオコンテンツが供給される複数台のクライアント端末と、
該クライアント端末で前記ビデオコンテンツを視聴する際に課金する少なくとも一台の課金サーバと、
該課金サーバで課金された前記クライアント端末、及び該クライアント端末で視聴される前記ビデオコンテンツを管理する少なくとも一台の管理サーバとからなり、
前記ビデオサーバと、前記クライアント端末と、前記課金サーバと、前記管理サーバとを構内通信網へ接続し、
前記ビデオサーバと前記クライアント端末とをテレビ放送回線で接続して、
前記ビデオサーバは、
前記ビデオコンテンツに係る映像・音声信号を暗号化して、視聴制限付きビデオコンテンツを形成する暗号化手段と、
暗号化した前記ビデオコンテンツに係る映像・音声信号を解読する秘密鍵と第１公開鍵を形成する鍵形成手段と、
前記ビデオコンテンツに係る映像・音声信号を前記テレビ放送回線で搬送可能な所定の変調方式にしたがって変調し、前記第１公開鍵に係る第１公開信号、及び前記秘密鍵に係る秘密信号を前記構内通信網で搬送可能な所定の変調方式にしたがって変調する変調手段と、
前記視聴制限付きビデオコンテンツに係る映像・音声信号を出力するビデオコンテンツ出力手段と、
前記第１公開信号を出力する第１公開信号送信手段と、
前記秘密信号を出力する第１秘密信号送信手段と、
を有し、
前記課金サーバは、
前記第１公開信号送信手段から送信された前記公開信号を受信する第１公開信号受信手段と、
受信した前記第１公開信号からなる前記第１公開鍵に、固有の情報を附加して形成した第２公開鍵を有料で発行する第２公開鍵発行手段と、
を有し、
前記クライアント端末は、
前記視聴制限付きビデオコンテンツが入力されるビデオコンテンツ入力手段と、
前記第２公開鍵を入力する第２公開鍵入力手段と、
入力した前記第２公開鍵に係る第２公開信号を送信する第２公開信号送信手段と、
を有し、
前記管理サーバは、
前記第１秘密信号送信手段から送信された前記秘密信号を受信する第１秘密信号受信手段と、
前記第２公開信号送信手段から送信された前記第２公開信号を受信する第２公開信号受信手段と、
受信した前記秘密信号からなる前記秘密鍵と、受信した前記第２公開信号に含まれる前記第１公開信号からなる前記第１公開鍵を照合して照合結果を形成する鍵照合手段と、
前記第２公開信号を送信した前記クライアント端末を特定する端末特定手段と、
特定した前記クライアント端末へ入力する前記視聴制限付きビデオコンテンツに係る映像・音声信号の暗号を解読して前記視聴制限を解除する解除手段と、
を有し、
前記ビデオコンテンツに係る映像・音声信号が、前記ビデオサーバから前記クライアント端末に向かって前記テレビ回線を伝送し、
前記第１公開信号が、前記ビデオサーバから前記課金サーバに向かって前記構内通信網を伝送し、
前記第２公開信号が、前記クライアント端末から前記管理サーバに向かって前記構内通信網を伝送し、
前記秘密信号が、前記ビデオサーバから前記管理サーバに向かって前記構内通信網を伝送するようにして、
前記管理サーバで、秘密鍵と第１公開鍵とが一致したとき、
前記管理サーバは、第２公開鍵が入力された特定クライアント端末に対して、前記視聴制限付きビデオコンテンツの視聴制限を解除するようにしたことを特徴とするビデオコンテンツ課金システム。
【請求項２】
前記第２公開鍵は、前記第１公開鍵に係る第１公開信号からなる共通コードと、該第１公開鍵が前記第２公開鍵発行手段で発行されるときに形成される発行順、発行日時といった固有の独立コードとからなり、
前記第２公開鍵に基づいて形成されたパスワードが、カード又はチケットに記載されて発行されることを特徴とする請求項１に記載のビデオコンテンツ課金システム。
【請求項３】
ビデオコンテンツを供給する少なくとも一台のビデオサーバと、
前記ビデオコンテンツが供給される複数台のクライアント端末と、
前記ビデオコンテンツが視聴される際に該クライアント端末へ課金し、該クライアント端末で視聴される前記ビデオコンテンツを管理する少なくとも一台の管理サーバとからなり、
前記ビデオサーバと、前記クライアント端末と、前記管理サーバとを構内通信網へ接続し、
前記ビデオサーバと前記クライアント端末とをテレビ放送回線で接続して、
前記ビデオサーバは、
前記ビデオコンテンツに係る映像・音声信号を暗号化して、視聴制限付きビデオコンテンツを形成する暗号化手段と、
暗号化した前記ビデオコンテンツに係る映像・音声信号を解読する秘密鍵と第１公開鍵を形成する鍵形成手段と、
前記ビデオコンテンツに係る映像・音声信号を前記テレビ放送回線で搬送可能な所定の変調方式にしたがって変調し、前記第１公開鍵に係る第１公開信号、及び前記秘密鍵に係る秘密信号を前記構内通信網で搬送可能な所定の変調方式にしたがって変調する変調手段と、
前記視聴制限付きビデオコンテンツに係る映像・音声信号を出力するビデオコンテンツ出力手段と、
前記第１公開信号を出力する第１公開信号送信手段と、
前記秘密信号を出力する第１秘密信号送信手段と、
を有し、
前記クライアント端末は、
前記視聴制限付きビデオコンテンツが入力されるビデオコンテンツ入力手段と、
前記第１公開信号送信手段から送信された前記第１公開信号を受信する第１公開信号受信手段と、
受信した前記第１公開信号からなる前記第１公開鍵に、固有の情報を附加して形成した第２公開鍵を有料で発行する第２公開鍵発行手段と、
前記第２公開鍵を入力する公開鍵入力手段と、
入力した前記第２公開鍵に係る第２公開信号を送信する第２公開信号送信手段と、
を有し、
前記管理サーバは、
前記第１秘密信号送信手段から送信された前記秘密信号を受信する第１秘密信号受信手段と、
前記第２公開信号送信手段から送信された前記第２公開信号を受信する第２公開信号受信手段と、
受信した前記秘密信号からなる前記秘密鍵と、受信した前記第２公開信号に含まれる前記第１公開信号からなる前記第１公開鍵を照合して照合結果を形成する鍵照合手段と、
前記第２公開信号を送信した前記クライアント端末を特定する端末特定手段と、
特定した前記クライアント端末へ入力する前記視聴制限付きビデオコンテンツに係る映像・音声信号の暗号を解読して前記視聴制限を解除する解除手段と、
を有し、
前記ビデオコンテンツに係る映像・音声信号が、前記ビデオサーバから前記クライアント端末に向かって前記テレビ回線を伝送し、
前記第１公開信号が、前記ビデオサーバから前記クライアント端末に向かって前記構内通信網を伝送し、
前記第２公開信号が、前記クライアント端末から前記管理サーバに向かって前記構内通信網を伝送し、
前記秘密信号が、前記ビデオサーバから前記管理サーバに向かって前記構内通信網を伝送するようにして、
前記管理サーバで、秘密鍵と第１公開鍵とが一致したとき、
前記管理サーバは、第２公開鍵が入力された特定クライアント端末に対して、前記視聴制限付きビデオコンテンツの視聴制限を解除するようにしたことを特徴とするビデオコンテンツ課金システム。
【請求項４】
前記第２公開鍵は、前記第１公開鍵に係る第１公開信号からなる共通コードと、該第１公開鍵が入力された前記クライアント端末が有する固有の識別コードからなる独立コードとから構成されることを特徴とする請求項３に記載のビデオコンテンツ課金システム。
【請求項５】
前記独立コードが、前記クライアント端末が有するＭＡＣアドレスであることを特徴とする請求項３若しくは請求項４に記載のビデオコンテンツ課金システム。
【請求項６】
前記変調方式が直交波周波数分割多重デジタル変調方式であって、前記テレビ回線が地上波デジタルテレビ回線であることを特徴とする請求項１乃至請求項５の何れかに記載のビデオコンテンツ課金システム。
【請求項７】
前記クライアント端末は、前記公開鍵入力手段を実行するための入力装置を有していることを特徴とする請求項１乃至請求項６の何れかに記載のビデオコンテンツ課金システム。
【請求項８】
前記入力装置が、リモコンであることを特徴とする請求項７に記載のビデオコンテンツ課金システム。
【請求項９】
前記入力装置が、前記クライアント端末が有するモニタ画面に配したタッチパネルであることを特徴とする請求項７に記載のビデオコンテンツ課金システム。
【請求項１０】
前記入力装置が、マイクであることを特徴とする請求項７に記載のビデオコンテンツ課金システム。
【請求項１１】
前記ビデオサーバに、
前記ビデオコンテンツを特定する少なくともタイトルを含む検索用のインデックス信号を形成するインデックス形成手段と、
該インデックス信号をテレビ放送に準拠した変調方式へ変調する変調手段を設け、
前記インデックス信号が前記ビデオコンテンツに係る映像・音声信号に重畳されて前記テレビ回線を伝送するようにしたことを特徴とする請求項１乃至請求項７の何れかに記載のビデオコンテンツ課金システム。
【請求項１２】
前記管理サーバに、
前記ビデオサーバから前記クライアント端末へ入力された視聴制限が解除された前記ビデオコンテンツの上映記録からなる視聴ログを形成し、
前記第２公開信号送信手段から送信された前記第２公開信号をトリガとして、前記視聴ログの記録を開始する記録手段を設けたことを特徴とする請求項１乃至請求項７又は請求項１１の何れかに記載のビデオコンテンツ課金システム。
【請求項１３】
請求項１乃至請求項７又は請求項１１若しくは請求項１２の何れかに記載の前記ビデオサーバと前記管理サーバを備えた端末局と、
前記ビデオサーバに前記ビデオコンテンツを供給するマスタービデオサーバと、前記管理サーバから前記視聴ログを収集するマスター管理サーバを備えた中央局と、
を互いに広域通信網に接続して形成したビデオコンテンツ課金システムであって、
前記マスター管理サーバが収集した前記視聴ログに対する視聴料金に係る請求信号が、前記マスター管理サーバから前記管理サーバに向かって前記広域通信網を伝送するようにして、
前記中央局が前記端末局内で視聴されるビデオコンテンツの課金を集中的に一括で管理することができるようにしたことを特徴とするビデオコンテンツ課金システム。
【請求項１４】
前記ビデオコンテンツに関する番組表に係るメニュー信号が、前記マスタービデオサーバから前記ビデオサーバに向かって広域通信網を伝送するようにしたことを特徴とする請求項１３に記載のビデオコンテンツ課金システム。
【請求項１５】
前記ビデオサーバが受信したメニュー信号を、前記変調手段でテレビ放送に準拠した変調方式へ変調し、
前記テレビ回線を介して、前記クライアント端末へ送信したとき、
該クライアント端末が有するモニタ画面上で、一般のテレビ放送番組に係る電子番組表へ、前記メニュー信号からなる番組表を同時に表示可能とすると共に、
前記入力装置で該番組表に記載された前記ビデオコンテンツを選択可能としたことを特徴とする請求項１乃至請求項１４の何れかに記載のビデオコンテンツ課金システム。
【発明の詳細な説明】
【技術分野】
【０００１】
本発明は、視聴制限が課せられたビデオコンテンツの当該視聴制限を解除するために課金する課金手段を有するビデオコンテンツ課金システムに関する。
【背景技術】
【０００２】
従来、ホテル、旅館等の宿泊施設、又は入院施設を備えた病院や湯治場等の長期滞在施設は、各部屋へ設置したテレビで映画や娯楽番組等からなるビデオコンテンツを有料で放映している。宿泊施設等が利用する該有料ビデオコンテンツは、映像配信業者によって衛星放送を介して配信され、また該映像配信業者から借りたＤＶＤやハードディスクドライブ等の外部記録媒体によって提供されている。
一方、各部屋に設置されたテレビは、有料ビデオコンテンツを視聴するための課金装置を有している。該課金装置は、現金又はコインを投入するもの、カード販売機で購入したカードを挿入するプリペイドカード型のものや、宿泊料の清算時に有料ビデオコンテンツの視聴料金を併せて支払うポストペイ型のものが知られている。
【先行技術文献】
【特許文献】
【０００３】
【特許文献１】引用なし
【発明の概要】
【発明が解決しようとする課題】
【０００４】
上記有料ビデオコンテンツを提供する映像配信業者は、各宿泊施設等へ定期的に直接出向き、有料ビデオコンテンツの視聴料金を集金している。集金される視聴料金は、各宿泊施設が各部屋の課金装置に投入された現金をまとめて支払ったり、プリペイドカードをカード販売機に供給する際に回収している。
そのため、映像配信業者は、集金にコストがかかり、該集金時のコストを有料ビデオコンテンツの料金に上乗せするため、有料ビデオコンテンツを提供するコストを抑えることが困難である。
また、例えば、有料ビデオコンテンツを衛星放送で配信している場合、有料ビデオコンテンツの視聴可能範囲が略日本全国となるのに対し、映像配信業者が定期的に集金できる範囲は広くとも一県程度であって、営業所等を各県ごとに設置した場合にコストがかかるので、上記と同様に、有料ビデオコンテンツを提供するコストを抑えることが困難である。
さらに、従来の課金装置は、硬貨やコイン、又は支払済証として発行されたカードで有料ビデオコンテンツの視聴制限を解除する機能しか有していない。そのため、例えば、カードを使いまわしたり、コインを偽造する等の課金装置の不正操作によって、有料ビデオコンテンツの正規の視聴料金が十分に回収できないおそれがある。回収できなかった視聴料金は次回からの有料ビデオコンテンツの提供コストに反映され、有料ビデオコンテンツを提供するコストを抑えることが困難である。
【０００５】
また、近年デジタルテレビ放送が開始され、従来の宿泊施設等では、当該デジタルテレビ放送が利用されるようになりつつある。ここで、上記の有料ビデオコンテンツはアナログ信号で提供されていることから、有料ビデオコンテンツを提供するための回線は、デジタルテレビ放送に係るデジタル信号が伝送するデジタル回線と共用することができず、有料ビデオコンテンツ用のアナログ回線を残したままデジタル回線を設けなければならなかった。さらに、宿泊施設等の各部屋に設置されたデジタルテレビ放送に対応したテレビは、有料ビデオコンテンツに係るアナログ映像・音声信号を入力することができないので、別途設けた変調器で該有料ビデオコンテンツに係るアナログ映像・音声信号をデジタル変換してからデジタルテレビ放送対応のテレビに入力している。
そのため、配線工事や変調器を各部屋毎に設置しなければならないので、手間とコストがかかっている。
【０００６】
したがって、本発明が解決しようとする課題は、ビデオコンテンツを提供するための回線や機器を簡素化して、手間を省いて、コストを抑えると共に、該ビデオコンテンツの視聴状況を集中的に把握して管理することができるようにしたビデオコンテンツ課金システムを提供することを目的とする。
【課題を解決するための手段】
【０００７】
請求項１に記載のビデオコンテンツ課金システムは、ビデオコンテンツを供給する少なくとも一台のビデオサーバと、
前記ビデオコンテンツが供給される複数台のクライアント端末と、
該クライアント端末で前記ビデオコンテンツを視聴する際に課金する少なくとも一台の課金サーバと、
該課金サーバで課金された前記クライアント端末、及び該クライアント端末で視聴される前記ビデオコンテンツを管理する少なくとも一台の管理サーバとからなり、
前記ビデオサーバと、前記クライアント端末と、前記課金サーバと、前記管理サーバとを構内通信網へ接続し、
前記ビデオサーバと前記クライアント端末とをテレビ放送回線で接続して、
前記ビデオサーバは、
前記ビデオコンテンツに係る映像・音声信号を暗号化して、視聴制限付きビデオコンテンツを形成する暗号化手段と、
暗号化した前記ビデオコンテンツに係る映像・音声信号を解読する秘密鍵と第１公開鍵を形成する鍵形成手段と、
前記ビデオコンテンツに係る映像・音声信号を前記テレビ放送回線で搬送可能な所定の変調方式にしたがって変調し、前記第１公開鍵に係る第１公開信号、及び前記秘密鍵に係る秘密信号を前記構内通信網で搬送可能な所定の変調方式にしたがって変調する変調手段と、
前記視聴制限付きビデオコンテンツに係る映像・音声信号を出力するビデオコンテンツ出力手段と、
前記第１公開信号を出力する第１公開信号送信手段と、
前記秘密信号を出力する第１秘密信号送信手段と、
を有し、
前記課金サーバは、
前記第１公開信号送信手段から送信された前記公開信号を受信する第１公開信号受信手段と、
受信した前記第１公開信号からなる前記第１公開鍵に、固有の情報を附加して形成した第２公開鍵を有料で発行する第２公開鍵発行手段と、
を有し、
前記クライアント端末は、
前記視聴制限付きビデオコンテンツが入力されるビデオコンテンツ入力手段と、
前記第２公開鍵を入力する第２公開鍵入力手段と、
入力した前記第２公開鍵に係る第２公開信号を送信する第２公開信号送信手段と、
を有し、
前記管理サーバは、
前記第１秘密信号送信手段から送信された前記秘密信号を受信する第１秘密信号受信手段と、
前記第２公開信号送信手段から送信された前記第２公開信号を受信する第２公開信号受信手段と、
受信した前記秘密信号からなる前記秘密鍵と、受信した前記第２公開信号に含まれる前記第１公開信号からなる前記第１公開鍵を照合して照合結果を形成する鍵照合手段と、
前記第２公開信号を送信した前記クライアント端末を特定する端末特定手段と、
特定した前記クライアント端末へ入力する前記視聴制限付きビデオコンテンツに係る映像・音声信号の暗号を解読して前記視聴制限を解除する解除手段と、
を有し、
前記ビデオコンテンツに係る映像・音声信号が、前記ビデオサーバから前記クライアント端末に向かって前記テレビ回線を伝送し、
前記第１公開信号が、前記ビデオサーバから前記課金サーバに向かって前記構内通信網を伝送し、
前記第２公開信号が、前記クライアント端末から前記管理サーバに向かって前記構内通信網を伝送し、
前記秘密信号が、前記ビデオサーバから前記管理サーバに向かって前記構内通信網を伝送するようにして、
前記管理サーバで、秘密鍵と第１公開鍵とが一致したとき、
前記管理サーバは、第２公開鍵が入力された特定クライアント端末に対して、前記視聴制限付きビデオコンテンツの視聴制限を解除するようにしたことを特徴とする。
【０００８】
請求項２に記載のビデオコンテンツ課金システムは、請求項１に記載の発明において、前記第２公開鍵は、前記第１公開鍵に係る第１公開信号からなる共通コードと、該第１公開鍵が前記第２公開鍵発行手段で発行されるときに形成される発行順、発行日時といった固有の独立コードとからなり、
前記第２公開鍵に基づいて形成されたパスワードが、カード又はチケットに記載されて発行されることを特徴とする。
【０００９】
請求項３に記載のビデオコンテンツ課金システムは、ビデオコンテンツを供給する少なくとも一台のビデオサーバと、
前記ビデオコンテンツが供給される複数台のクライアント端末と、
前記ビデオコンテンツが視聴される際に該クライアント端末へ課金し、該クライアント端末で視聴される前記ビデオコンテンツを管理する少なくとも一台の管理サーバとからなり、
前記ビデオサーバと、前記クライアント端末と、前記管理サーバとを構内通信網へ接続し、
前記ビデオサーバと前記クライアント端末とをテレビ放送回線で接続して、
前記ビデオサーバは、
前記ビデオコンテンツに係る映像・音声信号を暗号化して、視聴制限付きビデオコンテンツを形成する暗号化手段と、
暗号化した前記ビデオコンテンツに係る映像・音声信号を解読する秘密鍵と第１公開鍵を形成する鍵形成手段と、
前記ビデオコンテンツに係る映像・音声信号を前記テレビ放送回線で搬送可能な所定の変調方式にしたがって変調し、前記第１公開鍵に係る第１公開信号、及び前記秘密鍵に係る秘密信号を前記構内通信網で搬送可能な所定の変調方式にしたがって変調する変調手段と、
前記視聴制限付きビデオコンテンツに係る映像・音声信号を出力するビデオコンテンツ出力手段と、
前記第１公開信号を出力する第１公開信号送信手段と、
前記秘密信号を出力する第１秘密信号送信手段と、
を有し、
前記クライアント端末は、
前記視聴制限付きビデオコンテンツが入力されるビデオコンテンツ入力手段と、
前記第１公開信号送信手段から送信された前記第１公開信号を受信する第１公開信号受信手段と、
受信した前記第１公開信号からなる前記第１公開鍵に、固有の情報を附加して形成した第２公開鍵を有料で発行する第２公開鍵発行手段と、
前記第２公開鍵を入力する公開鍵入力手段と、
入力した前記第２公開鍵に係る第２公開信号を送信する第２公開信号送信手段と、
を有し、
前記管理サーバは、
前記第１秘密信号送信手段から送信された前記秘密信号を受信する第１秘密信号受信手段と、
前記第２公開信号送信手段から送信された前記第２公開信号を受信する第２公開信号受信手段と、
受信した前記秘密信号からなる前記秘密鍵と、受信した前記第２公開信号に含まれる前記第１公開信号からなる前記第１公開鍵を照合して照合結果を形成する鍵照合手段と、
前記第２公開信号を送信した前記クライアント端末を特定する端末特定手段と、
特定した前記クライアント端末へ入力する前記視聴制限付きビデオコンテンツに係る映像・音声信号の暗号を解読して前記視聴制限を解除する解除手段と、
を有し、
前記ビデオコンテンツに係る映像・音声信号が、前記ビデオサーバから前記クライアント端末に向かって前記テレビ回線を伝送し、
前記第１公開信号が、前記ビデオサーバから前記クライアント端末に向かって前記構内通信網を伝送し、
前記第２公開信号が、前記クライアント端末から前記管理サーバに向かって前記構内通信網を伝送し、
前記秘密信号が、前記ビデオサーバから前記管理サーバに向かって前記構内通信網を伝送するようにして、
前記管理サーバで、秘密鍵と第１公開鍵とが一致したとき、
前記管理サーバは、第２公開鍵が入力された特定クライアント端末に対して、前記視聴制限付きビデオコンテンツの視聴制限を解除するようにしたことを特徴とする。
【００１０】
請求項４に記載のビデオコンテンツ課金システムは、請求項３に記載の発明において、前記第２公開鍵は、前記第１公開鍵に係る第１公開信号からなる共通コードと、該第１公開鍵が入力された前記クライアント端末が有する固有の識別コードからなる独立コードとから構成されることを特徴とする。
【００１１】
請求項５に記載のビデオコンテンツ課金システムは、請求項３若しくは請求項４に記載の発明において、前記独立コードが、前記クライアント端末が有するＭＡＣアドレスであることを特徴とする。
【００１２】
請求項６に記載のビデオコンテンツ課金システムは、請求項１乃至請求項５の何れかに記載の発明において、前記変調方式が直交波周波数分割多重デジタル変調方式であって、前記テレビ回線が地上波デジタルテレビ回線であることを特徴とする。
【００１３】
請求項７に記載のビデオコンテンツ課金システムは、請求項１乃至請求項６の何れかに記載の発明において、前記クライアント端末は、前記公開鍵入力手段を実行するための入力装置を有していることを特徴とする。
【００１４】
請求項８に記載のビデオコンテンツ課金システムは、請求項７に記載の発明において、前記入力装置が、リモコンであることを特徴とする。
【００１５】
請求項９に記載のビデオコンテンツ課金システムは、請求項７に記載の発明において、前記入力装置が、前記クライアント端末が有するモニタ画面に配したタッチパネルであることを特徴とする。
【００１６】
請求項１０に記載のビデオコンテンツ課金システムは、請求項７に記載の発明において、前記入力装置が、マイクであることを特徴とする。
【００１７】
請求項１１に記載のビデオコンテンツ課金システムは、請求項１乃至請求項７の何れかに記載の発明において、前記ビデオサーバに、
前記ビデオコンテンツを特定する少なくともタイトルを含む検索用のインデックス信号を形成するインデックス形成手段と、
該インデックス信号をテレビ放送に準拠した変調方式へ変調する変調手段を設け、
前記インデックス信号が前記ビデオコンテンツに係る映像・音声信号に重畳されて前記テレビ回線を伝送するようにしたことを特徴とする。
【００１８】
請求項１２に記載のビデオコンテンツ課金システムは、請求項１乃至請求項７又は請求項１１の何れかに記載の発明において、前記管理サーバに、
前記ビデオサーバから前記クライアント端末へ入力された視聴制限が解除された前記ビデオコンテンツの上映記録からなる視聴ログを形成し、
前記第２公開信号送信手段から送信された前記第２公開信号をトリガとして、前記視聴ログの記録を開始する記録手段を設けたことを特徴とする。
【００１９】
請求項１３に記載のビデオコンテンツ課金システムは、請求項１乃至請求項７又は請求項１１若しくは請求項１２の何れかに記載の前記ビデオサーバと前記管理サーバを備えた端末局と、
前記ビデオサーバに前記ビデオコンテンツを供給するマスタービデオサーバと、前記管理サーバから前記視聴ログを収集するマスター管理サーバを備えた中央局と、
を互いに広域通信網に接続して形成したビデオコンテンツ課金システムであって、
前記マスター管理サーバが収集した前記視聴ログに対する視聴料金に係る請求信号が、前記マスター管理サーバから前記管理サーバに向かって前記広域通信網を伝送するようにして、
前記中央局が前記端末局内で視聴されるビデオコンテンツの課金を集中的に一括で管理することができるようにしたことを特徴とする。
【００２０】
請求項１４に記載のビデオコンテンツ課金システムは、請求項１３に記載の発明において、前記ビデオコンテンツに関する番組表に係るメニュー信号が、前記マスタービデオサーバから前記ビデオサーバに向かって広域通信網を伝送するようにしたことを特徴とする。
【００２１】
請求項１５に記載のビデオコンテンツ課金システムは、請求項１乃至請求項１４の何れかに記載の発明において、前記ビデオサーバが受信したメニュー信号を、前記変調手段でテレビ放送に準拠した変調方式へ変調し、
前記テレビ回線を介して、前記クライアント端末へ送信したとき、
該クライアント端末が有するモニタ画面上で、一般のテレビ放送番組に係る電子番組表へ、前記メニュー信号からなる番組表を同時に表示可能とすると共に、
前記入力装置で該番組表に記載された前記ビデオコンテンツを選択可能としたことを特徴とする。
【発明の効果】
【００２２】
請求項１に記載のビデオコンテンツ課金システムによれば、ビデオコンテンツに係る映像・音声信号がテレビ回線を伝送し、暗号化したビデオコンテンツ解読する第１公開鍵に係る第１公開信号と秘密鍵に係る秘密信号が、テレビ回線とは別に構内通信網を伝送するようにして、映像・音声信号と、公開信号及び秘密信号とが異なる回線を伝送するようにした。
映像・音声信号をテレビ回線上で伝送させることにより、ビデオコンテンツをクライアント端末であるテレビの空きチャンネルに割り込ませることができる。
これにより、有料ビデオコンテンツに係る映像・音声信号が入力されるセットトップボックス等の外部機器を省くことができる。また、有料ビデオコンテンツに係る映像・音声信号が伝送する回線と従来のテレビ回線を共用することができる。
そのため、ビデオコンテンツ課金システムを簡素化することができ、コストを抑えることができる。
また、テレビ回線と独立して、構内通信網上を伝送させた公開信号、秘密信号又は解除信号によって、有料ビデオコンテンツに係る視聴制限の解除を行うことができる。
これにより、各クライアント端末の近傍にそれぞれ設置していた課金装置を省くことができる。
そのため、ビデオコンテンツ課金システムを簡素化することができ、コストを抑えることができる。
そして、公開信号、秘密信号又は解除信号を構内通信網上で伝送させて、従来の課金装置を省いたことにより、管理サーバは各クライアント端末の有料ビデオコンテンツの視聴状況を集中的に一括して管理することができる。
これにより、有料ビデオコンテンツの不正な視聴を防止することができ、該有料ビデオコンテンツの視聴状況を集中的に把握して管理することができる。
【００２３】
請求項２に記載のビデオコンテンツ課金システムによれば、課金サーバから発行され、クライアント端末から入力された第２公開鍵が、ビデオサーバから発行された第１公開鍵に係る第１公開信号からなる共通コードと、発行日時、発行順といった情報からなる固有の独立コードとから構成され、該第２公開鍵に基づくパスワードが、カード又はチケットで発行されるようにした。
これにより、クライアント端末から、部屋番号、端末番号等からなるＩＤ番号とパスワードを入力することで、クライアント端末の特定と、購入したカード又はチケットによって有料ビデオコンテンツの視聴が開始されたことを管理サーバが把握することができる。そのため、従来クライアント端末の近傍にそれぞれ設けていた課金装置を省くことができるので、ビデオコンテンツ課金システムを構成する機器を簡素化して、コストを抑えることができる。
【００２４】
請求項３に記載のビデオコンテンツ課金システムによれば、ビデオサーバから発行された第１公開鍵をクライアント端末へ直接送信し、新たに該クライアント端末を特定する情報を附加して形成した第２公開鍵を管理サーバへ送信するようにした。
これにより、課金サーバと該課金サーバが有するカード又はチケットの発券機を省くことができる。そのため、ビデオコンテンツ課金システムを構成する機器を簡素化して、コストを抑えることができる。
【００２５】
請求項４に記載のビデオコンテンツ課金システムによれば、第２公開鍵が、ビデオサーバから発行された第１公開鍵に係る第１公開信号からなる共通コードと、クライアント端末が有する固有の識別コードからなる独立コードとから構成されるようにした。
これにより、クライアント端末から、予め定められたＩＤ番号を入力することで、管理サーバ側で該ＩＤ番号と固有の識別コードを照合することで、クライアント端末の特定と、該クライアント端末における有料ビデオコンテンツの購入ステップが認証されて視聴が開始されたことを管理サーバが把握することができる。ここで、ＩＤ番号は、例えば、ホテル・旅館の部屋番号といったものである。
そのため、従来クライアント端末の近傍にそれぞれ設けていた課金装置を省くことができるので、ビデオコンテンツ課金システムを構成する機器を簡素化して、コストを抑えることができる。
【００２６】
請求項５に記載のビデオコンテンツ課金システムによれば、第２公開鍵の独立コードをクライアント端末が有するＭＡＣアドレスとした。
該ＭＡＣアドレスは、構内通信網を形成するときに、通信が重複することを防ぐために予め定められている固有の識別コードであるから、管理サーバへクライアント端末を登録する手間を省くことができ、ビデオコンテンツ課金システムを構成する機器の設定作業を省略できるので、コストを抑えることができる。
【００２７】
請求項６に記載のビデオコンテンツ課金システムによれば、ビデオコンテンツの変調形式を、直交波周波数分割多重デジタル変調方式とし、前記テレビ回線を地上波デジタルテレビ回線とした。
これにより、ビデオコンテンツに係る映像・音声信号を劣化し難くすることができるので、テレビ回線途中に、ブースターやノイズ除去装置を設けなくても、ビデオサーバからクライアント端末に向かって、高品質なビデオコンテンツを送信することができる。
また、地上波デジタルテレビ放送に係るデジタルテレビ回線とビデオコンテンツに係る映像・音声信号が伝送する回線を共用することができるので、ビデオコンテンツ課金システムを構成する回線を簡素化して、コストを抑えることができる。
【００２８】
請求項７に記載のビデオコンテンツ課金システムによれば、クライアント端末に設けた入力装置から、公開鍵を入力することができるようにした。これにより、従来クライアント端末の近傍に設置していた課金装置を省くことができる。
これにより、ビデオコンテンツ課金システムを構成する機器を簡素化して、コストを抑えることができる。
【００２９】
請求項８に記載のビデオコンテンツ課金システムによれば、クライアント端末の入力装置をリモコンとした。そのため、視聴者はクライアント端末から離れたところからパスワードを入力することができ、クライアント端末の利便性を高めることができる。
【００３０】
請求項９に記載のビデオコンテンツ課金システムによれば、クライアント端末の入力装置をモニタ画面に配したタッチパネルとした。そのため、例えばモニタ画面に表示されたビデオコンテンツのサムネイル画像等を押すことによって、該ビデオコンテンツを直接選択することができる。また、配信されたビデオコンテンツの番組表から直接、視聴を所望するビデオコンテンツを選択することができる。このように、直接画面に触れて選択することができるので、クライアント端末の利便性を高めることができる。
【００３１】
請求項１０に記載のビデオコンテンツ課金システムによれば、クライアント端末の入力装置をマイクとした。これにより、音声入力が可能となるので、入力装置に手を触れなくても口頭で視聴制限付きビデオコンテンツの視聴制限を解除し、また、視聴を所望するビデオコンテンツを選択することができるので、クライアント端末の利便性を高めることができる。
【００３２】
請求項１１に記載のビデオコンテンツ課金システムによれば、ビデオサーバに記録保存されているビデオコンテンツの概要を示し、特定するための少なくともタイトルを含む検索用のインデックス信号を形成するインデックス形成手段を設けて、インデックス信号をテレビ放送に準拠した変調方式へ変調してテレビ回線上でビデオコンテンツに係る映像・音声信号に重畳して伝送するようにした。
これにより、クライアント端末でテレビ回線から入力された各チャンネルからなる一覧画面に、ビデオサーバから供給されるビデオコンテンツのタイトル等を表示させることができる。
そのため、検索用インデックスに含まれるタイトルや例えばサムネイル画像等によって、他の無料テレビ放送に関するチャンネルを視聴していた視聴者を有料ビデオコンテンツに誘引することができる。
【００３３】
請求項１２に記載のビデオコンテンツ課金システムによれば、クライアント端末から送信された第２公開信号をトリガとして、該クライアント端末で視聴されるビデオコンテンツの上映時間からなる視聴ログの記録を開始するようにした。これにより、異なるクライアント端末からパスワードが二重入力されることや、ＩＤとＭＡＣアドレス等の固有の識別コードが異なるクライアント端末からの入力を管理サーバで監視することができる。
そのため、視聴者が不正に第２公開鍵を入力して有料ビデオコンテンツを視聴することを防止することができる。
【００３４】
請求項１３に記載のビデオコンテンツ課金システムによれば、上記のビデオサーバと管理サーバを備えた端末局と、該端末局のビデオサーバにビデオコンテンツを供給するマスタービデオサーバと、該端末極の管理サーバから視聴ログを収集するマスター管理サーバを備えた中央局とを互いに広域通信網に接続して広域的なビデオコンテンツ課金システムを形成し、マスター管理サーバが収集した視聴ログに対する視聴料金に係る請求信号が、マスター管理サーバから管理サーバに向かって広域通信網を伝送するようにして、中央局が端末局内で視聴されるビデオコンテンツの課金を集中的に一括で管理することができるようにした。
これにより、マスター管理サーバは、端末局の管理サーバを集中的に一括して管理することができ、各端末局における有料ビデオコンテンツの視聴状況を把握して管理することができる。そのため、ホテル等の宿泊施設が不正に形成した公開鍵によって課金結果をごまかすことを防止することができ、視聴料金を確実に回収することができる。
【００３５】
請求項１４に記載のビデオコンテンツ課金システムによれば、ビデオコンテンツに関する番組表に係るメニュー信号が、マスタービデオサーバからビデオサーバに向かって広域通信網を伝送するようにした。
これにより、端末局内では、ビデオサーバからクライアント端末へ番組表を構内通信網を介して配信したり、番組表をプリントアウトして各部屋等に配ったりすることができる。
そのため、従来映像配信業者が負担していた紙媒体による番組表にかかるコストを抑えることができる。
【００３６】
請求項１５に記載のビデオコンテンツ課金システムによれば、ビデオサーバがマスタービデオサーバから受信したメニュー信号を、テレビ放送に準拠した変調方式へ変調し、テレビ回線を介してクライアント端末へ送信するようにして、クライアント端末が有するモニタ画面上で、一般のテレビ放送番組に係る電子番組表、いわゆる電子プログラムガイド（以下「ＥＰＧ」という）へ、メニュー信号からなる番組表を同時に表示可能とすると共に、入力装置で選択可能とした。
これにより、端末局内では、クライアント端末で無料放送等の番組と共に有料ビデオコンテンツを併せて一つのＥＰＧで表示することができるので、入力装置から直接入力することで、視聴を所望するビデオコンテンツを容易に選択することができ、クライアント端末の利便性を向上させることができる。また、従来映像配信業者が負担していた紙媒体による番組表にかかるコストを抑えることができる。
【図面の簡単な説明】
【００３７】
【図１】本実施例に係るビデオコンテンツ課金システムについて、ビデオコンテンツの配信に係る構成の概略を示すブロック図である。
【図２】第１実施例に係るビデオコンテンツ課金システムに係る構成の概略を示すブロック図である。
【図３】第１実施例に係るビデオコンテンツ課金システムにおける信号の伝送状況の概略を示すブロック図である。
【図４】第２実施例に係るビデオコンテンツ課金システムに係る構成の概略を示すブロック図である。
【図５】第２実施例に係るビデオコンテンツ課金システムにおける信号の伝送状況の概略を示すブロック図である。
【実施例１】
【００３８】
本発明に係るビデオコンテンツ課金システムを、添付した図面にしたがって説明する。
図１は、ビデオコンテンツ課金システムについて、ビデオコンテンツの配信に係る構成の概略を示し、図２は、配信されたビデオコンテンツに課金して各クライアント端末に供給するための構成の概略を示したものである。
【００３９】
本実施例に係るビデオコンテンツとは、映像信号及び音声信号からなる映画、娯楽・教養番組であって、ハードディスクドライブ、ＤＶＤに類する外部記録媒体に記録して保存されているものをいう。該ビデオコンテンツは、インターネットに代表される広域通信網１００を介して、少なくとも一つの中央局１１０から、少なくとも一つ若しくは二以上の端末局１２０へ提供される。
広域通信網１００は、インターネットの他に、衛星通信回線、有線又は無線通信回線、デジタルテレビ放送回線、電話回線等を用いても良い。
【００４０】
中央局１１０は、マスタービデオサーバ１１１と、エンコーダ１１２と、マスター管理サーバ１１３とを有する。
マスタービデオサーバ１１１は、各端末局１２０に配信されるビデオコンテンツを記録保存するハードディスクドライブ（以下「ＨＤＤ」という）、フラッシュメモリ、ＵＳＢメモリからなる外部記録媒体１１４を有する。配信されるビデオコンテンツは外部記録媒体１１４から読み出されてエンコーダ１１２へ送信される。
エンコーダ１１２は、マスタービデオサーバ１１１から読み込んだビデオコンテンツに係る映像・音声信号を所定の圧縮形式にしたがって圧縮変換してエンコードするエンコード手段と、広域通信網１００に接続している他のインターフェースにおいて配信しているビデオコンテンツが視聴されないように所定の暗号形式にしたがって暗号化する暗号化手段とを有する。
エンコーダ１１２から出力されたビデオコンテンツに係る映像・音声信号は、広域通信網１００を端末局１２０に向かって伝送する。
また、マスター管理サーバ１１３は、各端末局１２０におけるビデオコンテンツの視聴状況を管理する管理手段と、各端末局１２０にビデオコンテンツの視聴料金を課金する課金手段を有する。
【００４１】
上記の端末局１２０に設けたビデオコンテンツ課金システム１０は、図２に示すように、少なくとも一台のビデオサーバ１１と、少なくとも一台の課金サーバ１２と、少なくとも一台の管理サーバ１３、そして複数台のクライアント端末１４と、構内通信網１５と、デジタルテレビ回線１６とを有している。
構内通信網１５には、ビデオサーバ１１と、課金サーバ１２と、管理サーバ１３、クライアント端末１４が接続されている。
デジタルテレビ回線１６には、ビデオサーバ１１とクライアント端末１４が接続されている。
【００４２】
ビデオサーバ１１は、入力部１７と、外部記録媒体１８と、エンコーダ部１９と、変調部２０と、出力部２１とを有する。
入力部１７は、広域通信網１００を介して配信されたビデオコンテンツに係る映像・音声信号が入力可能な入力端子２２を備え、広域通信網１００を介して外部から入力されたビデオコンテンツにかけられた暗号を解読する外部暗号解読手段２３を有している。
【００４３】
外部記録媒体１８は、ＨＤＤ、フラッシュメモリ、ＵＳＢメモリの何れかからなり、マスタービデオサーバ１１１から配信されたビデオコンテンツを記録保存している。一時的にビデオコンテンツを記録保存する場合には、ビデオコンテンツに係る映像・音声信号を受信しながらクライアント端末１４で該映像・音声信号からなるビデオコンテンツの再生する、いわゆるストリーミング配信を行うことができる。一方、永続的にビデオコンテンツを記録保存する場合には、一旦ビデオサーバ１１がマスタービデオサーバ１１１からダウンロードして記録保存したビデオコンテンツを、クライアント端末１４から配信要求があったとき、はじめて配信する、いわゆるダウンロード配信を行うことができる。前者のストリーミング配信の場合には、視聴者は所望するビデオコンテンツを指定しなくても、受動的にビデオコンテンツを視聴することができる。また後者のダウンロード配信の場合は、視聴者は上映開始時間等に関係なく、所望するビデオコンテンツを視聴することができる。
【００４４】
エンコーダ部１９は、エンコード手段２４と、暗号化手段２５ａと、鍵形成手段２５ｂとを有する。
エンコード手段２４は、入力されたビデオコンテンツに係る映像・音声信号を所定の圧縮形式にしたがって圧縮変換している。
暗号化手段２５ａは、好ましくは上記のエンコード処理と同時に、ビデオコンテンツに係る映像・音声信号を暗号化する処理を行っている。これにより、視聴制限付きビデオコンテンツが形成され、入力されたビデオコンテンツに視聴制限をかけることができる。
鍵形成手段２５ｂは、好ましくは上記の暗号化処理と同時に、暗号化した視聴制限付きビデオコンテンツに係る映像・音声信号を解読するための第１公開鍵と秘密鍵を形成する。第１公開鍵は、該第１公開鍵に係る第１公開信号として構内通信網１５を介して課金サーバ１２へ出力されている。また秘密鍵は、該秘密鍵に係る秘密信号として構内通信網１５を介して管理サーバ１３へ出力されている。
後述するように管理サーバ１３では、第１公開鍵と秘密鍵とが照合され、第１公開鍵と秘密鍵とが一致したときビデオコンテンツに課せられた視聴制限は解除される。第１公開鍵と秘密鍵を別のルートで管理サーバへ供給することによって、不正にビデオコンテンツが視聴されることを防ぐことができる。
また、第１公開鍵は後述する課金サーバ１２で所定の処理を施されて発行されるのに対し、秘密鍵は、該秘密鍵に係る秘密信号のみが構内通信網１５内を伝送し、該秘密信号はネットワークの外に流出しないため、暗号の安全性と解読非容易性を高めることができる。
【００４５】
また、エンコーダ部１９は、インデックス形成手段２４ａを有する。
インデックス形成手段２４ａは、エンコード手段２４でビデオコンテンツに係る映像・音声信号をエンコード処理するとき、当該映像・音声信号に含まれる情報から、ビデオコンテンツを特定する少なくともタイトルに係る信号を抽出して、検索用のインデックス信号を形成している。形成されたインデックス信号は、変調部２０に送信される。
インデックス信号をビデオコンテンツに係る映像・音声信号に重畳してデジタルテレビ回線１６を伝送させて、クライアント端末１４で該インデックス信号からなるビデオコンテンツのタイトルや、例えばサムネイル画像を再生すれば、入力されているビデオコンテンツを選択するように誘導することが容易にできる。
また、デジタルテレビ回線１６にインデックス信号を伝送させることにより、クライアント端末１４の空きチャンネルを利用して再生中の全番組を一覧表にした選択画面にビデオコンテンツに係るタイトルやサムネイル画像を表示させることができる。
【００４６】
変調部２０は、変調手段２６と、信号分割手段２７とを有する。
変調手段２６は、ビデオコンテンツに係る映像・音声信号、並びに第１公開鍵に係る第１公開信号、及び秘密鍵に係る秘密信号を所定の変調形式にしたがって変調している。
該変調手段２６で変調されたビデオコンテンツに係る映像・音声信号と、第１公開鍵に係る第１公開信号、及び秘密鍵に係る秘密信号は、これらの信号が伝送する回線にあわせて、信号分割手段２７で振り分けられている。
すなわち、ビデオコンテンツに係る映像・音声信号は、デジタルテレビ回線１６上を伝送可能に変調され、第１公開鍵に係る第１公開信号、及び秘密鍵に係る秘密信号は、構内通信網１５上を伝送可能に変調される。
本実施例において、ビデオコンテンツに係る映像・音声信号を変調する変調形式は、直交波周波数分割多重変調形式である。
直交波周波数分割多重変調形式（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ変調形式、以下「ＯＦＤＭ変調形式」という）とは、デジタル変調方式の一つであって、データ信号を周波数軸上で伝送させる際に、複数の搬送波の直交性を利用し、搬送波の一部を重ね合わせて、該搬送波が互いに干渉することなく密に並列させることができるように変調することである。これにより、狭い周波数帯を効率的に利用して広帯域伝送を実現することができるので、周波数の利用効率を上げることができる。
そして、本実施例では、ＯＦＤＭ変調形式のうち、地上波デジタルテレビ放送に利用されている変調形式に準拠して、ビデオコンテンツに係る映像・音声信号を変調している。なお、これに限定されるものではなく、ＩＥＥＥ８０２．１１系の無線ＬＡＮに利用されているＯＦＤＭ変調形式、或いは電力線モデムに利用されているＯＦＤＭ変調形式に準拠してビデオコンテンツに係る映像・音声信号を変調してもよい。
このように、地上波デジタルテレビ放送等のＯＦＤＭ変調方式でビデオコンテンツに係る映像・音声信号を変調することにより、該映像・音声信号は、従来のテレビ放送用の配線や、無線ＬＡＮ、或いは建物に張り巡らされた家庭用電力供給線を利用することができるので、設備投資を抑えることができる。
【００４７】
出力部２１は、ビデオコンテンツ出力手段２８と、第１公開信号送信手段２９と、第１秘密信号送信手段３０とを有する。
ビデオコンテンツ出力手段２８は、暗号化されて視聴制限が課せられた視聴制限付きビデオコンテンツに係る映像・音声信号をデジタルテレビ回線１６へ出力可能に形成されている。
これにより、視聴制限付きビデオコンテンツに係る映像・音声信号はデジタルテレビ回線１６上をクライアント端末に向かって伝送するように出力される。
これにより、映像・音声信号を分割することなく連続してデジタルテレビ回線上を伝送させることができるので、クライアント端末１４で受信した映像・音声信号から視聴するビデオコンテンツを再構築したとき、映像・音声の劣化を最小限に抑えることができる。
また、デジタルテレビ回線１６を利用することによりクライアント端末１４における空きチャンネルを利用することができる。そのため、セットトップボックス（ＳＴＢ）やビデオ再生機等の外部映像機器を省くことができる。
【００４８】
第１公開信号送信手段２９は、第１公開鍵に係る第１公開信号を構内通信網１５へ出力可能に形成されている。また、第１秘密鍵送信手段３０は、秘密鍵に係る秘密信号を構内通信網１５へ出力可能に形成されている。
第１公開信号は、構内通信網１５上を課金サーバ１２に向かって伝送し、秘密信号は、構内通信網１５上を管理サーバ１３に向かって伝送するように出力される。
これにより、暗号を保全し、解読するうえで必要な鍵情報を、ビデオコンテンツに係る映像・音声信号とは別回線で伝送させることができるので、混信を防止することができる。
【００４９】
課金サーバ１２は、第１公開信号受信手段３１と第２公開鍵発行手段３２を有する。
第１公開信号受信手段３１は、出力部２１の第１公開信号送信手段２９から送信された公開信号を受信可能に形成されている。
第２公開鍵発行手段３２は、カード又はチケットを発券する少なくとも一台、好ましくは複数台の発券機１２ａを備えている。該発券機１２ａは、カード又はチケットに第２公開鍵、若しくは第２公開鍵に係るパスワードを印字して有料で発行している。
これにより、視聴制限付きビデオコンテンツを有料化することができる。
第２公開鍵は、共通コードと独立コードとからなる。
共通コードは、視聴制限を解除するために秘密鍵と照合される部分であって第１公開鍵に係る第１公開信号からなる。
独立コードは、第２公開鍵又は第２公開鍵に係るパスワードを入力したクライアント端末１４を特定するための部分である。独立コードは、例えば、発券機１２ａの端末番号、カード又はチケットの発行順或いは発行日時からなり、重複するコードが発行されないように形成されている。
第２公開鍵発行手段３２で第２公開鍵をカード又はチケットに記載して発券したとき、独立コードに係る信号は、同時に管理サーバ１３に送信される。
これにより、管理サーバ１３は、カード又はチケットが発券されたことを把握することができ、第２公開鍵が入力されたとき、入力したクライアント端末を特定することができる。
ここで、例えば、第２公開鍵が１６桁乃至６４桁以上の長大な数列から形成されている場合、該第２公開鍵をそのままパスワードとして発行すると、該パスワードが冗長化するおそれがある。そのため、公開鍵発行手段３２に乱数発生手段を設け、受信した公開信号と一対一で対応する公開鍵を例えば３桁乃至６桁の文字列或いは数列で新規に生成しても良い。
このように公開鍵を簡素化して発行することにより、カード又はチケットに印字されるパスワードを見やすくすることができる。そのため、入力ミスを防ぐことができ、再度視聴料金が課金されたりするようなトラブルを防ぐことができる。
【００５０】
管理サーバ１３は、第１秘密信号受信手段３３と、第２公開信号受信手段３４と、鍵照合手段３５と、端末特定手段３６と、解除手段３７を有する。
第１秘密信号受信手段３３は、ビデオサーバ１１の第１秘密信号送信手段３０から送信された秘密信号を受信可能に形成されている。
第２公開信号受信手段３４は、課金サーバ１２の発券機１２ａから発行された第２公開鍵又は第２公開鍵に係るパスワードを、後述するクライアント端末１４が有する入力装置１４ｂから入力したとき、該クライアント端末１４から送信された第２公開鍵に係る第２公開信号を受信可能に形成されている。
そして、鍵照合手段３５は、受信した秘密信号から秘密鍵を再構築し、また受信した第２公開信号に含まれている共通コードから第１公開鍵を再構築して、秘密鍵と第１公開鍵を照合し、その照合結果を形成している。
【００５１】
端末特定手段３６は、課金サーバ１２からカード又はチケットが発行されたとき、予め第２公開鍵に含まれている独立コードを受信する。そして、受信した独立コードと、クライアント端末から入力された第２公開信号に含まれている独立コードに係る信号とを照合して、該第２公開信号を送信したクライアント端末１４を特定する。
独立コードは、第２公開鍵が発券されたとき、固有のコードとして発行されている。そのため、課金サーバ１２から送信された独立コードと、クライアント端末１４から入力された独立コードが一致したとき、第２公開鍵を入力したクライアント端末１４を特定することができる。
これにより、最初に第２公開鍵を入力したクライアント端末のみ視聴制限を解除することができるので、カード又はチケットを使いまわすといった不正使用を防止することができる。
【００５２】
解除手段３７は、上記の鍵照合手段３５で視聴制限付きビデオコンテンツに係る映像・音声信号の暗号を解読したとき、ビデオコンテンツの視聴制限を解除する解除信号を特定したクライアント端末１４に対して送信する。
これにより、特定した一のクライアント端末１４のみ、視聴制限を解除することができるので、他のクライアント端末１４で視聴制限付きビデオコンテンツが不正に視聴されることを防ぐことができる。
また、管理サーバ１３で、第１公開鍵と秘密鍵を照合して、特定のクライアント端末１４に対して視聴制限付きビデオコンテンツを集中的かつ一元的に解除するようにしたことにより、従来、クライアント端末１４の近傍に設置されていた課金装置を省くことができる。そのため、ビデオコンテンツ課金システム１０の機器の構成を簡素化することができるので、コストを抑えることができる。
【００５３】
クライアント端末１４は、モニタ１４ａと入力装置１４ｂを備え、ビデオコンテンツ入力手段３８と、第２公開鍵入力手段３９と、第２公開信号送信手段４０とを有する。
ビデオコンテンツ入力手段３８は、デジタルテレビ回線１６を伝送した視聴制限付きビデオコンテンツに係る映像・音声信号が入力される入力端子３８ａを有している。
第２公開鍵入力手段３９は、発券機１２ａで発券されたカード又はチケットに記載されている第２公開鍵又は第２公開鍵に係るパスワードを入力可能に形成され、入力装置１４ｂから入力された第２公開鍵又はパスワードに対応する第２公開鍵に係る第２公開信号を第２公開信号送信手段４０へ出力する。
第２公開信号送信手段４０は、第２公開鍵入力手段３９から入力された第２公開鍵に係る第２公開信号を、管理サーバ１３へ送信する。
モニタ１４ａは、液晶、有機ＥＬ、プラズマ、ＬＥＤ等を利用したものであって、モニタ１４ａの画面は、配信されたビデオコンテンツが表示可能に形成されている。
入力装置１４ｂは、リモコン、モニタ１４ａの画面を利用したタッチパネル、或いはマイクの何れかからなる。
リモコンの場合は、離れた場所から入力操作を行うことができるので、使い勝手を良くすることができる。
タッチパネルの場合は、リモコンやキーボード等の部材を省くことができるので、該リモコン等を紛失することを防止することができる。
マイクの場合は、音声で入力することができるので、手動入力操作を簡単にすることができる。そのため、使い勝手を良くし、リモコン等の付属品を紛失することを防止することができる。
【００５４】
構内通信網（ＬＡＮ）１５は、上記のビデオサーバ１１と、課金サーバ１２と、管理サーバ１３、クライアント端末１４が接続されている。該構内通信網１５上は、第１・第２公開鍵に係る第１・第２公開信号及び秘密鍵に係る秘密信号が伝送し、管理サーバ１３からクライアント端末１４に対して視聴制限付きビデオコンテンツの視聴制限を解除する解除信号も伝送する。
デジタルテレビ回線１６は、ビデオサーバ１１とクライアント端末１４が接続されている。デジタルテレビ回線１６の始端は、端末局に設けた地上波デジタルテレビ放送を受信可能なアンテナが配されている。またデジタルテレビ回線１６の終端はクライアント端末１４に設けたＲＦ端子に接続されている。
該デジタルテレビ回線１６の途中でビデオサーバ１１から出力された信号を割り込ませるようにしたことにより、クライアント端末１４において、通常の地上波デジタルテレビ放送で使用していない空きチャンネルでビデオサーバ１１から送信されたビデオコンテンツを上映することができる。
これにより、ビデオ再生機やセットトップボックスといった外部機器からビデオ入力端子を介さなくてもクライアント端末１４へビデオコンテンツを入力することができるので、クライアント端末１４を構成する部品点数を減らすことができ、また配線作業を簡素化することができる。
【００５５】
上記の構成を有するビデオコンテンツ課金システム１０は、以下に示すように使用される。
ビデオコンテンツ課金システム１０に係るビデオコンテンツの配信は、大まかに広域通信網（ＷＡＮ）側で行われる配信と、構内通信網（ＬＡＮ）側で行われる配信とに分けられる。
広域通信網側で行われるビデオコンテンツの配信は、中央局１１０から各端末局１２０に対してなされている。具体的には、マスタービデオサーバ１１４に記録保存されているビデオコンテンツに係る映像・音声信号を、エンコーダ１１２でインターネット等からなる広域通信網１００上で伝送させることに最適な圧縮形式にエンコードし、同時に第三者の不正な利用を防止するために暗号化して、端末局１２０のビデオサーバ１１へ出力する。
また、ビデオコンテンツに係る映像・音声信号に重畳してビデオコンテンツの配信順や配信時刻等を示した番組表に係るメニュー信号を、上記と同様にエンコード及び暗号化して、端末局のビデオサーバ１１へ配信する。
本実施例では、図１に示すようにインターネットを利用したビデオコンテンツの配信を示したが、これに限定されるものではなく、衛星通信回線、デジタルテレビ放送回線等、他の通信回線を利用しても良い。
【００５６】
広域通信網を介して端末局へ配信されたビデオコンテンツは、次にビデオコンテンツ課金システム１０を介して有料配信される。
図２に示すように、中央局１００から配信されたビデオコンテンツは、ビデオサーバ１１へ入力され、該ビデオサーバ１１からデジタルテレビ回線１６を介してクライアント端末１４へビデオコンテンツの配信が行われる。
このとき、図３に示すように、提供されるビデオコンテンツＳ１００はロイヤリティの支払や不正な視聴を防ぐために暗号Ｓ１１０によって視聴制限がかけられている。クライアント端末１４は所定の課金処理を行うと暗号Ｓ１１０が外されてビデオコンテンツＳ１００の視聴制限を解除することができる。該課金処理に関して、ビデオコンテンツＳ１００に課せられた視聴制限の解除や、視聴している時間の記録といったクライアント端末１４の管理が構内通信網１５を介して、管理サーバ１３を用いて以下のようになされている。
【００５７】
ビデオサーバ１１へ入力されたビデオコンテンツＳ１００は、外部記録媒体に記録保存される。
一時的にビデオコンテンツを記録した場合は、該ビデオコンテンツに係る映像・音声信号を受信しながら、クライアント端末１４へ送信し、該クライアント端末１４は、略リアルタイムでビデオコンテンツを再生するといった、いわゆるストリーミング配信を行うことができる。
これにより、通常のテレビ放送と略同様に時間軸に沿ったビデオコンテンツの配信を行うことができる。そのため、視聴者は特に視聴を所望するビデオコンテンツを指定しなくても、クライアント端末１４のモニタ１４ａで上映されるビデオコンテンツを楽しむことができる。
一方、永続的にビデオコンテンツを記録した場合は、ビデオサーバ１１の外部記録媒体内に記録保存している多数のビデオコンテンツから、視聴者が視聴を所望するビデオコンテンツを選択することができる、いわゆるダウンロード配信を行うことができる。これにより、視聴者は上映開始時間を気にすることなく所望するビデオコンテンツを視聴することができる。
【００５８】
ビデオサーバ１１へ入力されたビデオコンテンツに係る映像・音声信号Ｓ１００は、エンコード部１９のエンコード手段２４で広域通信網上を伝送することに最適な所定の圧縮形式から構内通信網上を伝送することに最適な所定の圧縮形式にエンコードされる。
さらに、ビデオコンテンツに係る映像・音声信号から、該ビデオコンテンツのタイトルや、サムネイル画像を形成する映像信号が検索用のインデックス信号としてインデックス形成手段２４ａで抽出され、所定の圧縮形式でエンコードされる。
【００５９】
そして、入力部１７の外部暗号解読手段２３では、ビデオコンテンツに係る映像・音声信号Ｓ１００にかけられていた広域通信網上を伝送することに最適な所定の暗号が一旦解読される。その後、エンコード部１９の暗号化手段２５ａでビデオコンテンツに係る映像・音声信号Ｓ１００に、課金サーバ１２で視聴料金を支払った者にのみ視聴させる視聴制限付きビデオコンテンツに最適な所定の暗号Ｓ１１０が附加される。
また、この再暗号化と同時に、エンコード部の鍵生成手段２５ｂでは、当該暗号を解読するために必要な、秘密鍵Ｓ１２０と第１公開鍵Ｓ１３０が生成される。
【００６０】
視聴制限付きビデオコンテンツに係る映像・音声信号Ｓ１００，Ｓ１１０と、検索用のインデックス信号は、デジタルテレビ回線１６へ出力される。
また好ましくは、該デジタルテレビ回線１６には、マスタービデオサーバから送信されたビデオコンテンツの番組表に係るメニュー信号も出力される。
一方、第１公開鍵に係る第１公開信号Ｓ１３０は、構内通信網１５へ出力され、課金サーバ１２へ入力される。そして、秘密鍵に係る秘密信号Ｓ１２０は、構内通信網１５へ出力され、管理サーバ１３へ入力される。
【００６１】
課金サーバ１２は、発券機１２ａへ視聴料金が投入されたとき、第２公開鍵発行手段３２で、第２公開鍵又は第２公開鍵に係るパスワードを記載したカード又はチケットを発券する。
ここで、ビデオサーバ１１から送信された第１公開鍵Ｓ１３０は、第２公開鍵発行手段３２で、第２公開鍵Ｓ１４０へ変換されている。
課金サーバ１２から発行される第２公開鍵Ｓ１４０は、共通コードと独立コードとからなる。
共通コードは、ビデオサーバ１１から送信された第１公開鍵Ｓ１３０であって、ビデオコンテンツにかけた暗号を解読するために秘密鍵Ｓ１２０と対となるものである。
一方、独立コードＳ１３５は、第２公開鍵発行手段３２で新たに加えられた情報であって、発券機１２ａの端末番号、カード又はチケットの発券順、発券日時といった固有の情報からなり、他の独立コードと重複しないように形成されている。該独立コードは、カード又はチケットを購入した視聴者を特定し、ひいては第２公開鍵を入力したクライアント端末１４を特定するため、第２公開鍵Ｓ１４０に含めて発行すると共に、管理サーバ１３の端末特定手段３６へ送信される。
【００６２】
視聴者は、クライアント端末１４の入力装置１４ｂから第２公開鍵又は第２公開鍵に係るパスワードを入力すると、第２公開鍵に係る第２公開信号Ｓ１４０が、管理サーバ１３へ送信される。
ここで、第２公開鍵又は第２公開鍵に係るパスワードを入力するとき、クライアント端末１４が設置されている部屋番号等をＩＤとして入力するようしても良い。これにより、第２公開鍵に含まれる独立コードＳ１３５と併せて、クライアント端末１４を容易に特定することができる。
【００６３】
管理サーバ１３では、ビデオコンテンツの視聴制限を解除する暗号解読に係る鍵の照合と、クライアント端末１４を特定するための独立コードの照合が行われる。
暗号解読については、ビデオサーバ１１から送信された秘密鍵に係る秘密信号Ｓ１２０と、クライアント端末１４から入力された第２公開鍵に係る第２公開信号Ｓ１４０のうち、共通コードＳ１３０を照合し、一致しているか否か判定する。一致しているときには、ビデオコンテンツＳ１００に課せられている暗号Ｓ１１０が解除され、該視聴制限の解除信号がクライアント端末１４に対して送信される。
【００６４】
一方、管理サーバ１３の端末特定手段３６で、課金サーバ１２からの独立コードＳ１３５と、クライアント端末１４からの独立コードＳ１３５が一致したとき、該クライアント端末１４を特定し、該クライアント端末１４の利用者が正規に視聴料金を支払ったことを認証することができる。
これにより、クライアント端末１４の近傍に課金装置を設置しなくても、クライアント端末１４を特定して視聴制限を解除することができる。そのため、課金装置を含めた配線作業と、該課金装置を省いたことにより、手間とコストを抑えることができる。
ここで、独立コードを例えば管理サーバ１３が有する外部記録媒体で所定の期間、例えば一日保持するように設定すれば、最初にパスワードを入力したクライアント端末１４のみ視聴制限を解除することができ、同一のパスワードを入力した他のクライアント端末１４が不正に視聴制限を解除することを防止することができる。
【００６５】
管理サーバ１３から特定クライアント端末１４に対して解除信号が送信されると、該特定クライアント端末ではモニタ１４ａの画面でスクランブル画面や黒色画面、或いはノイズ画面で表示されていた視聴制限付きビデオコンテンツの視聴制限が解除される。
そして、該ビデオコンテンツＳ１００の視聴を開始したとき、管理サーバは特定クライアント端末１４の視聴ログを形成する。視聴ログは、ビデオコンテンツが視聴されている時間の記録からなり、該視聴ログの記録の開始は、第２公開信号Ｓ１４０の入力がトリガとなっている。
【００６６】
端末局１２０の管理サーバ１３で形成された視聴ログは、中央局１１０のマスター管理サーバ１１３で収集される。
収集された視聴ログは、ストリーミング配信のときは、視聴率に類するものとして利用することができ、ダウンロード配信のときは、人気投票に類するものとしても利用することができる。
さらに、視聴ログをマスター管理サーバで収集することにより、利用状況を各端末局１２０毎に把握することができるので、宿泊施設がビデオコンテンツの利用料金をごまかしたりすることを防止することができる。
【００６７】
また、マスタービデオサーバ１１１から配信するビデオコンテンツに係る番組表が、中央局１１０から端末局１２０のビデオサーバ１１に対して配信されている。
ビデオサーバ１１では、当該番組表に係るメニュー信号を、ビデオコンテンツに係る映像・音声信号と同様に変調手段２６で変調し、デジタルテレビ回線１６を介して各クライアント端末１４へ出力している。
これにより、クライアント端末１４では、地上波デジタルテレビ放送によって提供され、デジタルテレビ回線１６を介して該クライアント端末１４へ入力された他の放送に係る電子プログラムガイド（ＥＰＧ）に、本実施例の有料ビデオコンテンツに係る番組表を併せて表示することができる。
そのため、視聴者は、チャンネル選択を容易に行うことができ、該ＥＰＧを利用した番組の視聴予約を容易にセットすることができる。そのため、有料ビデオコンテンツの利便性を高めることができる。
【００６８】
また、上記の番組表は、これから提供されるビデオコンテンツを示すものとして利用できるのに対し、ビデオサーバ１１が現在配信しているビデオコンテンツは、該ビデオコンテンツに係る映像・音声信号からタイトルやサムネイル画像を抽出してインデックス形成手段２４ａで形成されたインデックス信号によって、クライアント端末１４で検索することができる。
これにより、これから配信される番組は、電子プログラムガイドを利用した番組表から知ったり、予約することができ、現在配信中のビデオコンテンツは、空きチャンネルを利用した再生中の番組一覧表等から容易に選択することができる。
ここで、番組表は、暗号化する必要は無いが、現在提供しているビデオコンテンツに係るタイトルやサムネイル画像は、暗号化しても良いし、しなくても良い。
サムネイル画像を暗号化した場合には、番組一覧表において該サムネイル画像は、スクランブル画面で表示される。そのため、視聴者は、視聴制限を解除して有料ビデオコンテンツを視聴しようとするものと思われる。
一方、サムネイル画像を暗号化しない場合には、番組一覧表において該サムネイル画像は小さく表示されているので、視聴者は、視聴制限を解除して大画面で有料ビデオコンテンツを視聴しようとするものと思われる。
したがって、いずれにしても番組一覧表やプログラム等を空きチャンネルを利用して表示させることによって、視聴者に対してビデオコンテンツの購入を促す訴求力が期待できる。
【００６９】
本実施例に記載のビデオコンテンツ課金システムによれば、各クライアント端末で視聴されるビデオコンテンツに係る映像・音声信号をデジタルテレビ回線１６上へ伝送させ、該クライアント端末１４の課金情報や管理情報、又は視聴情報に係る各信号を構内通信網１５上へ伝送させるようにした。
これにより、デジタルテレビ放送に対応したビデオコンテンツの配信と、各クライアント端末１４の一括管理を実現することができる。
また、映像・音声信号が伝送するテレビ回線をデジタル回線で統一したことにより、配線作業の手間を省くことができる。そして、管理サーバ１３で各クライアント端末１４を一括管理することで、各クライアント端末１４の近傍に設けていた課金装置を省くことができる。
そのため、ビデオコンテンツ課金システムを簡素化することができ、コストを抑えることができる。
【実施例２】
【００７０】
第２実施例に係るビデオコンテンツ課金システム１０Ａの構成の概略を図４に示す。第２実施例に示したビデオコンテンツ課金システム１０Ａが、第１実施例のビデオコンテンツ課金システム１０と相違する点は、課金サーバ１２の有無である。システムから課金サーバ１２を省いた点以外の構成は第１実施例と同様であるから説明を省略する。
【００７１】
クライアント端末１４Ａは、第１実施例に記載の構成に加えて、第１公開信号受信手段３１Ａと第２公開鍵発行手段３２Ａを有する。
第１公開信号受信手段３１Ａは、ビデオサーバ１１から発信された第１公開鍵に係る第１公開信号を受信する。
第２公開鍵発行手段３２Ａは、第１公開鍵に新たな固有の情報を附加して第２公開鍵Ｓ１４０Ａを形成する。
第２公開鍵は、第１実施例と同様に、暗号化して視聴制限を課したビデオコンテンツＳ１００，Ｓ１１０の暗号解読のための共通コードＳ１３０と、クライアント端末１４Ａを特定するための独立コードＳ１３５Ａとからなる。
共通コードＳ１３０は、第１実施例と同様に、秘密鍵Ｓ１２０と照合される第１公開鍵Ｓ１３０からなる。
独立コードＳ１３５Ａは、クライアント端末１４Ａが有する固有の識別コードからなり、本実施例においては、クライアント端末１４Ａが有するＭＡＣアドレスが利用される。
ＭＡＣアドレスとは、構内通信網１５へクライアント端末１４等を接続するために該クライアント端末１４等の機器が有するＲＯＭに記録されている一意の番号をいう。これにより、構内通信網１５内に接続しているクライアント端末１４を特定することができる。
【００７２】
ここで、第１公開鍵Ｓ１３０とＭＡＣアドレスＳ１３５Ａからなる第２公開鍵Ｓ１４０Ａは、１６桁乃至６４桁以上の長大な文字列になる。そのためクライアント端末１４Ａから入力される第２公開鍵又は第２公開鍵に係るパスワードが冗長化するので、クライアント端末１４Ａの入力装置１４ｂから入力されるパスワードは、例えば宿泊施設の場合は部屋番号等が好ましい。そのため、管理サーバ１３Ａは、後述するように予めクライアント端末１４Ａが有するＭＡＣアドレスと、該クライアント端末１４が設置されている部屋の部屋番号を関連付けて記録しておくことが好ましい。そして、３桁乃至は６桁程度の部屋番号を入力するようにすると、第２公開鍵Ｓ１４０Ａの入力ミスを防ぐことができる。
クライアント端末１４Ａで形成された第２公開鍵Ｓ１４０Ａは、クライアント端末１４Ａの第２公開信号送信手段から管理サーバ１３Ａへ送信される。
【００７３】
管理サーバ１３Ａは、第１秘密信号受信手段３３と、第２公開信号受信手段３４Ａと、鍵照合手段３５と、端末特定手段３６と、解除手段３７を有する。
ここで、管理サーバ１３Ａは、自身が有する外部記録媒体に、構内通信網１５に接続されているクライアント端末１４ＡのＭＡＣアドレスと、該クライアント端末１４が設置されている場所、例えば部屋番号を対応付て予め記録しているものとする。
第１秘密信号受信手段３３は、第１実施例と同様であるので説明を省略する。
第２公開信号受信手段３４Ａは、クライアント端末１４Ａが有する入力装置１４ｂから入力され、該クライアント端末１４Ａから送信された第２公開鍵に係る第２公開信号を受信可能に形成されている。該第２公開信号Ｓ１４０Ａには、共通コードＳ１３０と独立コードＳ１３５Ａに係る信号がそれぞれ含まれている。
そして、鍵照合手段３５は、受信した秘密信号から秘密鍵Ｓ１２０を再構築し、また受信した第２公開信号から共通コードを抽出して第１公開鍵Ｓ１３０を再構築し、秘密鍵Ｓ１２０と第１公開鍵Ｓ１３０を照合して、その照合結果を形成している。
【００７４】
端末特定手段３６は、予め記録されている各クライアント端末１４のＭＡＣアドレスと、クライアント端末から入力された第２公開信号に含まれている独立コードＳ１３５Ａと照合して、該第２公開信号Ｓ１４０Ａを送信したクライアント端末１４を特定する。
独立コードＳ１３５Ａは、ＭＡＣアドレスからなるクライアント端末１４の固有のコードであるから、予め記録されている独立コードとクライアント端末１４から入力された独立コードが一致したとき、公開鍵を入力したクライアント端末１４を特定することができる。
これにより、特定のクライアント端末のみ視聴制限を解除することができるので、部屋番号を騙って入力するといった不正使用を防止することができる。
【００７５】
解除手段３７は、第１実施例と同様であるので説明を省略する。
また、管理サーバ１３で、第１公開鍵Ｓ１３０と秘密鍵Ｓ１２０を照合して、特定のクライアント端末１４に対して視聴制限付きビデオコンテンツを集中的かつ一元的に解除するようにしたことにより、従来、クライアント端末１４の近傍に設置されていた課金装置を省くことができる。そのため、ビデオコンテンツ課金システム１０の機器の構成を簡素化することができるので、コストを抑えることができる。
【００７６】
上記の構成を有するビデオコンテンツ課金システムは、第１実施例と同様に使用されるので、説明を省略する。
第１実施例と相違する点は、第２公開鍵に係る第２公開信号を構成する共通コードと独立コードのうち、独立コードＳ１３５Ａが、クライアント端末が有する固有の識別コードであるＭＡＣアドレスを利用している点である。
これにより、第１実施例で示した課金サーバ１２と、該課金サーバ１２に係る発券機を、ビデオコンテンツ課金システムから省くことができるので、該システムを簡素化することができ、コストを抑えることができる。
【００７７】
また、第２実施例に記載のビデオコンテンツ課金システムによれば、第２公開鍵Ｓ１４０Ａをハードコピーで残さないので、第三者の不正な利用を防止することができる。該不正な利用とは、例えば、購入したカード又はチケットを落として紛失したとき、無関係な第三者が視聴料金を支払うことなく拾ったカードで不正に視聴することなどである。
【００７８】
第１及び第２実施例に係るビデオコンテンツ課金システムによれば、クライアント端末１４，１４Ａの近傍に設置していた課金装置を省くことができるようにした。また、地上波デジタルテレビ放送とデジタルテレビ回線を共用することができるようにした。
これにより、ビデオコンテンツ課金システムの機器の構成及び配線を簡素化することができる。そのため、余計な機器や回線が必要ないので、コストを抑えることができる。
また、管理サーバ１３，１３Ａで、各クライアント端末１３，１３Ａの視聴状況を監視し、視聴ログを採るようにした。これにより、一括で集中的に各クライアント端末１３，１３Ａを管理することができるので、課金処理を容易にして、確実に視聴料金を回収することができる。
【符号の説明】
【００７９】
１０，１０Ａ…ビデオコンテンツ課金システム、
１１…ビデオサーバ、１２…課金サーバ、１２ａ…発券機、１３，１３Ａ…管理サーバ、１４，１４Ａ…クライアント端末、１４ａ…モニタ、１４ｂ…入力装置、
１５…構内通信網、１６…デジタルテレビ回線、
１７…入力部、１８…外部記録媒体、１９…エンコーダ部、２０…変調部、２１…出力部、
２２…入力端子、２３…外部暗号解読手段、
２４…エンコーダ手段、２４ａ…インデックス形成手段、２５ａ…暗号化手段、２５ｂ…鍵形成手段、
２６…変調手段、２７…信号分割手段、
２８…ビデオコンテンツ出力手段、、２９…第１公開信号送信手段、３０…第１秘密信号送信手段、
３１，３１Ａ…第１公開信号受信手段、３２，３２Ａ…第２公開鍵発行手段、
３３…第１秘密信号受信手段、３４，３４Ａ…第２公開信号受信手段、３５…鍵照合手段、３６…端末特定手段、３７…解除手段、
１００…広域通信網、１１０…中央局、１２０…端末局、
１１１…マスタービデオサーバ、１１２…エンコーダ、１１３…マスター管理サーバ、１１４…中央局の外部記録媒体、
Ｓ１００…ビデオコンテンツ、又はビデオコンテンツに係る映像・音声信号、Ｓ１１０…暗号、又は暗号に係る暗号信号、
Ｓ１２０…秘密鍵、又は秘密鍵に係る秘密信号、
Ｓ１３０…第１公開鍵、又は第１公開鍵に係る第１公開信号、或いは共通コード、又は共通コードに係る信号、
Ｓ１３５…独立コード、又は独立コードに係る信号
Ｓ１４０…第２公開鍵、又は第２公開鍵に係る第２公開信号。
【図１】
0005187979.tif 000002
【図２】
0005187979.tif 000003
【図３】
0005187979.tif 000004
【図４】
0005187979.tif 000005
【図５】
0005187979.tif 000006